(57)【要約】【課題】  使い勝手の良いプロジェクタシステムを提供すること。【解決手段】  プロジェクタシステム１０００は、複数のプロジェクタ１０と、該複数のプロジェクタ１０の使用スケジュールを管理する管理装置３０と、複数のプロジェクタ１０及び管理装置３０と通信可能であり、使用スケジュールに基づいてプロジェクタ１０に画像データを送信する処理装置２０と、を備えている。これにより、使い勝手の良いプロジェクタシステムを提供することができる。【選択図】図１
2017026715.tif 000002
【特許請求の範囲】
【請求項１】
複数のプロジェクタと、
前記複数のプロジェクタの使用スケジュールを管理する管理装置と、
前記複数のプロジェクタ及び前記管理装置と通信可能であり、前記使用スケジュールに基づいて前記プロジェクタに画像情報を送信する少なくとも１つの処理装置と、を備えるプロジェクタシステム。
【請求項２】
前記管理装置は、前記使用スケジュールにおいて前記複数のプロジェクタのうち少なくとも１つのプロジェクタの使用予定がある日に該プロジェクタを特定する情報を前記処理装置に送信することを特徴とする請求項１に記載のプロジェクタシステム。
【請求項３】
前記処理装置は、前記少なくとも１つのプロジェクタが複数のプロジェクタであるとき、該複数のプロジェクタのうち少なくとも２つのプロジェクタに画像情報を同時に送信することを特徴とする請求項２に記載のプロジェクタシステム。
【請求項４】
前記同時に送信される画像情報は、同一の画像情報であることを特徴とする請求項３に記載のプロジェクタシステム。
【請求項５】
前記少なくとも２つのプロジェクタは、同じイベント又は同じ内容の異なるイベントで使用されることを特徴とする請求項３又は４に記載のプロジェクタシステム。
【請求項６】
前記処理装置は、前記使用予定を予約入力するための入力操作手段を含み、該入力操作手段を用いて予約入力された前記使用予定を前記管理装置に送信することを特徴とする請求項２〜５のいずれか一項に記載のプロジェクタシステム。
【請求項７】
前記管理装置は、
前記使用予定の予約管理を行う予約管理手段と、
前記処理装置からの前記使用予定を記憶する記憶手段と、を含むことを特徴とする請求項６に記載のプロジェクタシステム。
【請求項８】
前記予約管理手段は、
前記予約管理を行うためのスケジューラと、
前記スケジューラを実行するコンピュータと、を有することを特徴とする請求項７に記載のプロジェクタシステム。
【請求項９】
前記使用予定は、前記プロジェクタが使用される場所の予定を含むことを特徴とする請求項２〜８のいずれか一項に記載のプロジェクタシステム。
【請求項１０】
複数のプロジェクタを含むプロジェクタシステムの使用方法であって、
前記プロジェクタの使用予定をコンピュータに予約入力する工程と、
予約入力された前記使用予定を前記複数のプロジェクタの使用スケジュールとしてスケジューラで管理する工程と、
前記使用スケジュールにおいて少なくとも１つの前記プロジェクタの使用予定がある日に該プロジェクタに前記コンピュータから画像情報を送信する工程と、を含むプロジェクタシステムの使用方法。
【発明の詳細な説明】
【技術分野】
【０００１】
本発明は、プロジェクタシステム及びプロジェクタシステムの使用方法に関し、更に詳しくは、複数のプロジェクタを備えるプロジェクタシステム、該プロジェクタシステムの使用方法に関する。
【背景技術】
【０００２】
近年、複数のプロジェクタを備えるプロジェクタシステムの開発が盛んに行われている（例えば特許文献１）。
【発明の概要】
【発明が解決しようとする課題】
【０００３】
しかしながら、特許文献１に開示されているプロジェクタシステムでは、ユーザが複数のプロジェクタの使用スケジュールに基づいて該複数のプロジェクタの中から使用するプロジェクタを随時選択する必要があり、使い勝手が悪かった。
【課題を解決するための手段】
【０００４】
本発明は、複数のプロジェクタと、前記複数のプロジェクタの使用スケジュールを管理する管理装置と、前記複数のプロジェクタ及び前記管理装置と通信可能であり、前記使用スケジュールに基づいて前記プロジェクタに画像情報を送信する処理装置と、を備えるプロジェクタシステムである。
【発明の効果】
【０００５】
本発明によれば、使い勝手の良いプロジェクタシステムを提供できる。
【図面の簡単な説明】
【０００６】
【図１】一実施形態のプロジェクタシステムのハードウェア構成を示すブロック図である。
【図２】プロジェクタシステムにおけるプロジェクタのハードウェア構成を示すブロック図である。
【図３】イベント会場における複数のプロジェクタの配置例を示す図である。
【図４】複数のプロジェクタの予約情報を説明するための図である。
【図５】図５（Ａ）及び図５（Ｂ）は、それぞれプロジェクタの予約情報を入力するための予約画面を示す図（その１及びその２）である。
【図６】管理装置で登録されテーブル化された予約情報（使用スケジュール）を示す図である。
【図７】処理装置とプロジェクタとの間の通信の接続、切断を行うための入力画面を示す図である。
【図８】プロジェクタシステムの動作シーケンスを説明するための図である。
【図９】イベント会場における複数のエリアそれぞれに複数のプロジェクタを配置する例を説明するための図である。
【図１０】図９における各エリアと該エリアに配置される複数のプロジェクタとの対応関係を示す図である。
【発明を実施するための形態】
【０００７】
以下、本発明の一実施形態を図１〜図１０に基づいて説明する。図１には、一実施形態のプロジェクタシステム１０００のハードウェア構成が示されている。
【０００８】
プロジェクタシステム１０００は、図１に示されるように、複数のプロジェクタ１０、複数の処理装置２０、管理装置３０などを備えている。なお、図１では、便宜上、プロジェクタ１０と処理装置２０が２つずつ図示されているが、これに限られない。プロジェクタ１０と処理装置２０の数は、同数でも良いし、異数でも良い。処理装置２０の数は、１つであっても良い。
【０００９】
複数のプロジェクタ１０、複数の処理装置２０、管理装置３０は、例えばインターネット等のネットワークを介して通信可能に接続されている。
【００１０】
各処理装置２０は、入力操作手段２１、通信制御手段２２を含む。
【００１１】
通信制御手段２２としては、例えばＰＣ（パーソナルコンピュータ）等のコンピュータを用いることができる。
【００１２】
入力操作手段２１は、プロジェクタ１０の使用に関する予約情報（使用予定）を入力したり、使用するプロジェクタ１０を適宜選択したりするための入力インターフェースである。
【００１３】
「入力操作手段２１」は、一例として、「予約情報」の選択項目を含む予約画面を表示可能なディスプレイと、予約画面上で所望の入力操作を行うためのキーボード、マウス等の操作部材を含む。なお、入力操作手段２１は、例えばタッチパネルであっても良い。
【００１４】
「予約情報」には、例えば、プロジェクタ１０を使用するイベントの日程（日時）、場所（会場）、内容、グルーピング（組み分け）等が挙げられる。予約情報としては、例えば、各プロジェクタ１０が何日の何時から何時までどこの会場のどのエリアでどのようなグルーピングで使用するかというような情報が挙げられる。
【００１５】
通信制御手段２２は、ＣＰＵ（Central Processing Unit）を有し、入力操作手段２１を用いて入力された予約情報を管理装置３０に送信するとともに、後述する管理装置３０で管理される複数のプロジェクタ１０の使用スケジュールに基づいてプロジェクタ１０に画像データ（画像情報）を送信する。この画像データは、例えばハードディスクやメモリに保存された画像データであっても良いし、他の映像出力機器から受信した画像データであっても良いし、ネットワークを介して受信した画像データであっても良い。
【００１６】
なお、本実施形態において「グルーピング」は、同一の画像データが同時に送信される複数のプロジェクタ１０の組み合わせを意味する。
【００１７】
管理装置３０は、スケジューリング手段３１、記憶手段３２、通信手段３３を含む。
【００１８】
スケジューリング手段３１は、各プロジェクタ１０の使用予定の予約管理（予約情報の管理）を行う。すなわち、ユーザにより入力され処理装置２０から送信された予約情報を登録し、該予約情報を複数のプロジェクタ１０の使用スケジュールとして一括管理（一元管理）する。
【００１９】
スケジューリング手段３１は、予約管理ソフト（プログラム）としてのスケジューラ（不図示）と、該スケジューラを実行するためのコンピュータ（不図示）とを含んで構成される。
【００２０】
スケジューリング手段３１は、予約情報を含む使用スケジュールを記憶手段３２に記憶させる。スケジューリング手段３１は、処理装置２０からの新たな予約情報を通信手段３３を介して受信すると、使用スケジュールを更新し、更新後の使用スケジュールを記憶手段３２に記憶させる。すなわち、使用スケジュールを上書きする。
【００２１】
記憶手段３２としては、ハードディスクやメモリが挙げられる。
【００２２】
また、スケジューリング手段３１は、記憶手段３２に記憶されたプロジェクタ１０の日毎の予約情報（使用予定）をその日に（該プロジェクタ１０の使用当日の使用時前に）通信手段３３を介して処理装置２０に送る。
【００２３】
プロジェクタ１０は、投影手段１１、通信手段１２を含む。
【００２４】
通信手段１２は、処理装置２０からの画像データを受信すると、該画像データを投影手段１１に送る。
【００２５】
通信手段１２は、図２に示される外部Ｉ／Ｆ部１００を含んで構成される。
【００２６】
外部Ｉ／Ｆ部１００は、処理装置２０等の電子機器との間で各種情報を入出力するためのインターフェースである。外部Ｉ／Ｆ部１００を介して、処理装置２０等の映像出力機器と接続されることで画像データや音声データを含む各種情報の入出力（送受信）を行う。外部Ｉ／Ｆ部１００は、画像データや画像データの制御情報等の送受信を行うための映像ポート１００１と、音声データや音声データの制御情報等の送受信を行うための音声ポート１００２と、ＵＳＢ（Universal Serial Bus）端子と接続された電子機器と各種情報を送受信するためのＵＳＢポート１００３と、ネットワークへ接続しＬＡＮ接続された電子機器と各種情報を送受信するためのＬＡＮポート１００４（無線LANポート等でもよい）とを有する。
【００２７】
投影手段１１は、通信手段１２からの画像データに応じた画像を被投影面（例えばスクリーンＳＣの表面、壁面等）に投影する。
【００２８】
投影手段１１は、図２に示されるように、システム制御部１０１、音声処理部１０２、スピーカー１０３、映像処理部１０４、光学ユニット制御部１０５、光学ユニット１０６、光源制御部１０７、光源１０８、電源制御部１０９、電源１１０、操作部１１１、リモコン受信部１１２、記憶部１１３、ファン制御部１１４、ファン１１５を有する。
【００２９】
システム制御部１０１は、プロジェクタ１０を構成する他の各部を制御する。システム制御部１０１は、ＣＰＵ（Central Processing Unit）１０１１と、ＲＯＭ（Read Only Memory）１０１２と、ＲＡＭ（Random Access Memory）１０１３とにより実現される。ＣＰＵ１０１１は、ＲＯＭ１０１２やシステム制御部１０１に記憶された各種プログラムに従って、各種制御や機能を実現する演算装置である。ＲＯＭ１０１２は、プロジェクタ１０で実行可能な各種プログラムや、これらの各種プログラムを実行する際に使用される各種データ、及びＣＰＵ１０１１の演算処理結果などを記憶する不揮発性の半導体メモリ（記憶装置）である。ＲＡＭ１０１３は、ＣＰＵ１０１１によって実行される各種プログラムなどを展開するためのプログラム格納領域や、各種入出力データや各種プログラムの実行結果などを格納するデータ格納領域などを備える揮発性の半導体メモリ（記憶装置）である。
【００３０】
音声処理部１０２は、外部Ｉ／Ｆ部１００を介して入力された（受信した）音声データのうち、音量調整や音質調整等の処理を行う。音声処理部１０２は、入力された音声データに対して音量調整や音質調整等の処理を行った後、この処理後の音声データをスピーカー１０３や不図示の音声出力ポートに出力する。
【００３１】
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば不図示の音声出力ポートを介してケーブルやネットワークなどに接続される外部機器のスピーカーでもよい。
【００３２】
映像処理部１０４は、外部Ｉ／Ｆ部１００を介して入力された（受信した）画像データに対して、システム制御部１０１が適切に扱えるよう各種処理を行う。映像処理部１０４は、入力された画像データに対して各種処理を行った後、この処理後の画像データをＲＡＭ１０１３や不図示のバッファメモリ等に出力する。
【００３３】
光学ユニット制御部１０５は、光学ユニット１０６を制御して、映像処理部１０４からＲＡＭ１０１３や不図示のバッファメモリ等に出力された画像データの投影を行う。
【００３４】
光学ユニット１０６は、レンズ、ミラーなどの光学部品から構成されるユニット（部品）である。
【００３５】
光源制御部１０７は、システム制御部１０１からの指示に基づき、光源１０８の点灯や消灯などを制御する。光源１０８は、例えば水銀ランプなどである。
【００３６】
電源制御部１０９は電源１１０を制御する。電源１１０はプロジェクタ１０に電力を供給する。
【００３７】
操作部１１１は、ユーザからの各種操作入力を受け付け、システム制御部１０１を介して、操作入力に対応する機能を実現させる。操作部１１１は、例えばカーソルキーや文字／数字キー、各種機能キー等からの入力を受けつけることが可能である。リモコン受信部１１２はリモコンなど遠隔からの各種操作入力を受け付け、システム制御部１０１を介して、操作入力に対応する機能を実現させる。リモコン受信部１１２は、例えば赤外線方式のリモコンからカーソルキーや文字／数字キー、各種機能の入力をつけつけることが可能である。
【００３８】
記憶部１１３は、例えばＥＥＰＲＯＭ（Electrically Erasable Programmable ROM）等の不揮発性の半導体メモリ（記憶装置）である。記憶部１１３は、プロジェクタ１０が実行可能な各種プログラムやこれらの各種プログラムを実行する際に使用される各種データ等を記憶する。各種データとは、例えばプロジェクタ１０に設定された設定値などである。なお、記憶部１１３は、例えばＨＤ（Hard Disk）などの記憶装置であってもよい。また、記憶部１１３は、例えばプロジェクタ１０とネットワークを介して接続される記憶装置であってもよい。
【００３９】
ファン制御部１１４は、ファン１１５を制御する。ファン１１５は、本体もしくは部品を冷却したり、排熱したりするためのものである。
【００４０】
ここで、図３には、複数（例えば５つ）のプロジェクタ１０が用いられるイベント会場における該複数のプロジェクタ１０の配置例が示されている。
【００４１】
この配置例では、イベント会場は、東会場、西会場にわかれており、さらに東会場は、Ａ、Ｂ、Ｃの３つのエリアに、西会場は、Ｄ、Ｅの２つのエリアにわかれている。各エリアには、プロジェクタ１０が１つずつ設置されており、画像（例えば会場の案内など）をスクリーンＳＣに投影する。なお、図３では、エリアＡ、Ｂ、Ｃ、Ｄ、Ｅに設置されるプロジェクタ１０がそれぞれ「ＰＪ−Ａ」、「ＰＪ−Ｂ」、「ＰＪ−Ｃ」、「ＰＪ−Ｄ」、「ＰＪ−Ｅ」と表記されている。
【００４２】
さらに、図４には、イベント会場におけるプロジェクタ１０の使用予定（予約情報）の一例が示されている。図４左図では、２つの展示会（東北展、九州展）が同時開催され、図４右図では、３つの展示会（ＩＴ展、ワイヤレス展、物流展）が同時開催される。なお、東北展、九州展は、例えば地方物産展のようなものである。
【００４３】
ところで、イベント（例えば展示会）の規模により、複数のエリアで同じ画像（例えば案内情報）を投影したい場合がある。例えば、３/２５〜３/２７の東北展は、Ａ、Ｂ、Ｃの３つのエリアを使用し、エリアＡ、Ｂ、Ｃのプロジェクタ１０から同じ画像を投影したい場合である。例えば、３/２５〜３/２７の九州展は、Ｄ、Ｅの２つのエリアを使用し、エリアＤ、Ｅのプロジェクタ１０から同じ画像を投影したい場合がある。
【００４４】
一方、４/１〜４/２において、ＩＴ展はＡ、Ｂの２つのエリアを使用し、物流展はエリアＣを使用し、ワイヤレス展はエリアＤを使用し、エリアＥは使用されない場合であって、エリアＡ、Ｂのプロジェクタ１０から同じ画像を投影し、エリアＣのプロジェクタ１０から該画像とは異なる画像を投影し、エリアＤのプロジェクタ１０からそれらの画像とは異なる画像を投影したい場合がある。
【００４５】
このように、ユーザが、展示会毎に同一の画像が同時に投影されるエリアのグルーピング（プロジェクタ１０のグルーピング）を変更するのは面倒であり、またグルーピングミスが発生するおそれもある。
【００４６】
そこで、本実施形態のプロジェクタシステム１０００では、随時更新される使用スケジュールに基づいて、処理装置２０と管理装置３０が協働して、同一の画像を同時に投影するエリア（プロジェクタ１０）のグルーピングを行う。
【００４７】
ここで、ユーザは、入力操作手段２１の操作部材を用いてディスプレイに予約画面を表示させることができる。
【００４８】
図５（Ａ）及び図５（Ｂ）には、プロジェクタ１０の使用予定（予約情報）を処理装置２０を介して管理装置３０に予約入力する際の予約画面の入力前及び入力後の状態がそれぞれ示されている。
【００４９】
ここでは、一例として、２０１５年３月２５日の予約画面が入力操作手段２１のディスプレイに表示され（図５（Ａ）参照）、ユーザが入力操作手段２１を用いて展示会名及び会場を管理装置３０に対して入力する（図５（Ｂ）参照）。管理装置３０は、入力された情報（予約情報）を登録して使用スケジュールの少なくとも一部として管理する。
【００５０】
なお、ユーザは、入力操作手段２１を用いて管理装置３０に対してプロジェクタ１０の使用予定の予約入力（予約情報の入力）の他、予約内容の削除、変更等を行うこともできる。
【００５１】
図６には、複数のプロジェクタ１０の使用に関する予約情報を含む使用スケジュールの具体例が表で示されている。すなわち、図６に示される表は、スケジューリング手段３１によって登録され、該スケジューリング手段３１により記憶手段３２にテーブル化された状態で保存された予約情報（使用スケジュール）である。
【００５２】
そこで、管理装置３０は、図６に示されるテーブルにおける日毎の予約情報に従って、その日に使用するプロジェクタ１０を特定する情報（例えばＰＪ−Ａ、ＰＪ−Ｂ、ＰＪ−Ｃ、ＰＪ−Ｄ、ＰＪ−Ｅの少なくとも１つ）を事前に（当該プロジェクタ１０の使用時前に）処理装置２０に送信する。処理装置２０は、該情報によって特定されるプロジェクタ１０に画像データを送信する。画像データを受信したプロジェクタ１０は、該画像データに応じた画像を投影する。
【００５３】
例えば、処理装置２０は、２０１５年３月２５日に、東北展の３つのエリア（会場）Ａ、Ｂ、Ｃに個別に設置された３つのプロジェクタ１０に同一の画像データを同時に送り、九州展の２つのエリア（会場）Ｄ、Ｅに設置されたプロジェクタ１０に同一の画像データを同時に送る。
【００５４】
ここで、処理装置２０は、ユーザによりディスプレイに図７に示される入力画面を開く操作がなされた場合、管理装置３０からの、その日の予約情報（その日が使用当日となるプロジェクタ１０を特定する情報）を表示する。
【００５５】
ユーザが入力操作手段２１を用いて図７の入力画面上で投影すべき展示会（例えば東北展及び九州展の少なくとも一方）の項目を選択し「投影」の項目を選択すると、該展示会の各エリアに設置されたプロジェクタ１０は、処理装置２０からの画像データを受信し、該画像データに応じた画像を投影する。この際、該展示会の複数のプロジェクタ１０に同一の画像データが同時に送信されると、該展示会の複数のエリアで同一の画像が同時に投影される。また、この画面において「切断」の項目を選択することで、選択した展示会のプロジェクタ１０との通信を切断することができる。
【００５６】
以下に、プロジェクタシステム１０００の動作シーケンスの一例について説明する。図８には、図４に示される予約情報で、２０１５年３月２５日にプロジェクタ１０から投影を行う１〜７の一連の手順（シーケンス）が示されている。以下では、エリアＡ、Ｂ、Ｃ、Ｄ、Ｅに設置されるプロジェクタ１０をそれぞれ「ＰＪ−Ａ」、「ＰＪ−Ｂ」、「ＰＪ−Ｃ」、「ＰＪ−Ｄ」、「ＰＪ−Ｅ」とも呼ぶ。
【００５７】
１．ユーザが、処理装置２０において、図７の入力画面を開く操作を行う。
２．処理装置２０は、管理装置３０から、２０１５年３月２５日（当日）の予約情報を取得する。ここでは、予約情報には、「九州展」で使用されるプロジェクタ１０を特定する情報であるＰＪ−Ｄ、ＰＪ−Ｅが含まれている。
３．処理装置２０は、図７の入力画面を表示する。
４．ユーザは、処理装置２０において、「九州展」の項目を選択し、「投影」の項目を選択する。
５．処理装置２０は、プロジェクタ:ＰＪ−Ｄに画像データＰＤを送信し、プロジェクタ：ＰＪ−Ｄは、受信した画像Ｐを投影する。
６．処理装置２０は、プロジェクタ：ＰＪ−Ｅに画像データＰＤを送信し、プロジェクタ：ＰＪ−Ｅは、受信した画像Ｐを投影する。
【００５８】
なお、図９に示されるように、会場の各エリア内に複数のプロジェクタ１０が設置される場合には、図１０に示されるような各エリアと該エリアに設置されるプロジェクタ１０との対応関係を予め管理装置３０に登録しておくことで、ユーザは会場使用時に、容易に会場内のプロジェクタ１０に同じ画像を同時に投影することができる。なお、図９及び図１０では、エリアＡ、Ｂ、Ｃ、Ｄ、Ｅにそれぞれ設置されるプロジェクタ１０を「ＰＪ−Ａｎ」、「ＰＪ−Ｂｎ」、「ＰＪ−Ｃｎ」、「ＰＪ−Ｄｎ」、「ＰＪ−Ｅｎ」（ｎは自然数）と表記している。
【００５９】
以上説明した本実施形態のプロジェクタシステム１０００は、複数のプロジェクタ１０と、該複数のプロジェクタ１０の使用スケジュールを管理する管理装置３０と、複数のプロジェクタ１０及び管理装置３０と通信可能であり、使用スケジュールに基づいてプロジェクタ１０に画像データ（画像情報）を送信する処理装置２０と、を備えている。
【００６０】
この場合、複数のプロジェクタ１０の使用スケジュールに基づいてプロジェクタ１０に画像データが送信されるため、ユーザが複数のプロジェクタ１０の使用スケジュールに基づいて該複数のプロジェクタ１０の中から使用するプロジェクタを随時選択する必要がない。
【００６１】
この結果、使い勝手の良いプロジェクタシステムを提供できる。また、使用するプロジェクタ１０の選択ミスを抑制できる。
【００６２】
なお、上記実施形態では、複数のプロジェクタ１０、処理装置２０、管理装置３０が同一のネットワークを介して接続されているが、これに限られない。例えば、複数のプロジェクタ１０と処理装置２０とが一のネットワークを介して接続され、処理装置２０と管理装置３０とが他のネットワークを介して接続されても良い。すなわち、複数のプロジェクタ１０と管理装置３０は、通信可能でなくても良い。
【００６３】
また、処理装置２０は、使用スケジュールにおいて少なくとも１つのプロジェクタ１０の使用予定がある日に該プロジェクタ１０に画像データを送信するため、各プロジェクタ１０の使用当日に該プロジェクタ１０から画像を確実に投影することができる。なお、複数のプロジェクタ１０の使用スケジュールには、複数のプロジェクタ１０の使用予定がある日、１つのプロジェクタ１０の使用予定がある日、全てのプロジェクタ１０の使用予定がない日が含まれ得る。逆に言うと、処理装置２０は、使用スケジュールにおいて全てのプロジェクタ１０の使用予定がない日には、いずれのプロジェクタ１０にも画像データを送信しない。
【００６４】
また、処理装置２０は、上記少なくとも１つのプロジェクタ１０が複数のプロジェクタ１０であるときに該複数のプロジェクタのうち少なくとも２つのプロジェクタ１０に画像データを同時に送信する場合には、該少なくとも２つのプロジェクタ１０から画像を同時に投影できる。
【００６５】
また、処理装置２０は、同時に送信される画像データが同一の画像データである場合には、該少なくとも２つのプロジェクタ１０から同一の画像を同時に投影できる。なお、「同時に送信される画像データ」は、互いに異なる画像データであっても良い。この場合は、該少なくとも２つのプロジェクタ１０から互いに異なる画像を同時に投影できる。
【００６６】
また、上記少なくとも２つのプロジェクタ１０が同じイベントで使用される場合には、該イベントが開催される会場の異なる複数箇所で同一の画像を同時に投影することができる。
【００６７】
また、少なくとも２つのプロジェクタ１０が同じ内容の異なる複数のイベントで使用される場合には、該複数のイベントが開催される複数の会場で同一の画像を同時に投影できる。
【００６８】
ところで、特許文献１に開示されているプロジェクタシステムでは、複数のプロジェクタをグループ化し、同じグループのプロジェクタ全てに同時投影する場合に、ユーザが開始前にグループを選択しなければならず面倒であり、またグループを忘れたり、間違って選択してしまうおそれがあった。
【００６９】
本実施形態では、処理装置２０と管理装置３０が連携し、自動的にグループを形成できるため、上記のような問題の発生を抑制できる。
【００７０】
処理装置２０は、プロジェクタ１０の使用予定を予約入力するための入力操作手段２１を含み、予約入力された使用予定を管理装置３０に送信するため、ユーザがプロジェクタ１０の使用予定を随時入力できる。
【００７１】
また、管理装置３０は、使用予定の予約管理を行うスケジューリング手段３１（予約管理手段）と、処理装置２０からの使用予定を記憶する記憶手段３２と、を含むため、複数のプロジェクタ１０の使用スケジュールを一括管理（一元管理）することができる。
【００７２】
また、スケジューリング手段３１は、予約管理を行うためのスケジューラと、該スケジューラを実行するコンピュータと、を有するため、複数のプロジェクタ１０の使用スケジュールを自動的にかつ正確に管理することができる。
【００７３】
また、上記使用予定は、プロジェクタ１０が使用される場所の予定を含むため、例えば、各プロジェクタ１０が使用されるイベント会場、該イベント会場の会場単位、該会場内のエリア単位での使用予定を管理することができる。
【００７４】
また、本実施形態のプロジェクタシステム１０００の使用方法は、プロジェクタ１０の使用予定をコンピュータに予約入力する工程と、予約入力された使用予定を複数のプロジェクタ１０の使用スケジュールとしてスケジューラで管理する工程と、使用スケジュールにおいて少なくとも１つのプロジェクタの使用予定がある日に該プロジェクタにコンピュータから画像データを送信する工程と、を含む。
【００７５】
この場合、複数のプロジェクタ１０の使用スケジュールに基づいてプロジェクタ１０に画像データが送信されるため、ユーザが複数のプロジェクタ１０の使用スケジュールに基づいて該複数のプロジェクタ１０の中から使用するプロジェクタを随時選択する必要がない。
【００７６】
この結果、使い勝手の良いプロジェクタシステムの使用方法を提供できる。また、使用するプロジェクタ１０の選択ミスを抑制できる。
【符号の説明】
【００７７】
１０…プロジェクタ、２０…処理装置、２１…入力操作手段（処理装置の一部）、２２…通信制御手段（処理装置の一部）、３０…管理装置、３１…スケジューリング手段（予約管理手段、管理装置の一部）、３２…記憶手段（管理装置の一部）、１０００…プロジェクタシステム。
【先行技術文献】
【特許文献】
【００７８】
【特許文献１】特許５６１７６４８号公報
【図１】
2017026715.tif 000003
【図２】
2017026715.tif 000004
【図３】
2017026715.tif 000005
【図４】
2017026715.tif 000006
【図５】
2017026715.tif 000007
【図６】
2017026715.tif 000008
【図７】
2017026715.tif 000009
【図８】
2017026715.tif 000010
【図９】
2017026715.tif 000011
【図１０】
2017026715.tif 000012